(57)【要約】    【課題】核磁気共鳴サンプルを保持するための核磁気共鳴サンプル管アセンブリーを提供する。    【解決手段】サンプルを保持するためのＮＭＲサンプル管アセンブリーは、サンプル管と、サンプルをサンプル管内にシールするためのシール栓と、該アセンブリーを回転させるためのローターとを含む。栓は、軸方向の力によってサンプル管に固定される。好ましくは、サンプル管は、サンプル管の入口領域に沿ってサンプル管の外側から突き出るシール用フランジを有する。栓の充填用部分は、この充填用部分がサンプル管内に挿入されたときに空気をサンプル管から逃がすために、充填用部分とサンプル管との間に空気逃げすき間を維持するようなサイズを有する。ローターは、栓の突き出たシール用部分に固定され、シール用部分をシール用フランジに固定する。【選択図】図２−Ｂ
2004279416.tif 000002
【特許請求の範囲】
【請求項１】
核磁気共鳴サンプルを保持するための核磁気共鳴サンプル管アセンブリーであって、
核磁気共鳴サンプルを保持するためのサンプル保持区画を規定するサンプル管であって、このサンプル管の入口領域に沿ってこのサンプル管の外部から突き出たシール用フランジを有するサンプル管と、
サンプルをサンプル管内にシールするためのシール栓であって、上記サンプル管の一部を満たすための略長尺形状の充填用部分であって、この充填用部分が上記サンプル管内に挿入されたときに空気をサンプル管から逃がすために、上記充填用部分と上記サンプル管との間に空気逃げすき間を維持するようなサイズを有する充填用部分と、サンプル保持体積部をシールするために上記シール用フランジと接触するための、上記充填用部分に対して横方向に突き出るシール用部分とを備えたシール栓と、
上記シール用部分の反対側で上記シール用フランジの側面に隣接し、上記シール用部分に固定されたローターであって、上記シール用部分を上記シール用フランジに固定し、かつ上記ローターに当たる気体の流れに応答して当該サンプル管アセンブリーを回転させるためのローターとを含む核磁気共鳴サンプル管アセンブリー。
【請求項２】
上記シール用部分と上記シール用フランジとの間の境界において規定される溝に配置されたシール用Ｏ−リングをさらに含む、請求項１に記載のサンプル管アセンブリー。
【請求項３】
上記サンプル管が、ホウケイ酸ガラス、セラミックおよび石英からなる群から選択される材料から形成される、請求項１に記載のサンプル管アセンブリー。
【請求項４】
上記シール栓がエラストマーから形成される、請求項３に記載のサンプル管アセンブリー。
【請求項５】
上記入口領域に沿った上記サンプル管の内径が、上記サンプル保持区画に沿った上記サンプル管の内径と実質的に等しい、請求項１に記載のサンプル管アセンブリー。
【請求項６】
上記サンプル管の壁厚が上記サンプル保持区画に沿って０．５ｍｍ以下である、請求項５に記載のサンプル管アセンブリー。
【請求項７】
上記ローターおよび上記シール用部分が、上記シール用部分を上記ローター内にねじ締めするために、マッチするらせん状の線条を有する、請求項１に記載のサンプル管アセンブリー。
【請求項８】
上記シール用部分が、上記シール栓を長さ方向の軸の周りに回転させるために、上記充填用部分とは反対側の上記シール用部分に沿って規定されるかぎ形開口部を有する、請求項７に記載のサンプル管アセンブリー。
【請求項９】
核磁気共鳴サンプルを保持するための核磁気共鳴サンプル管アセンブリーであって、
核磁気共鳴サンプルを保持するためのサンプル保持区画を規定するサンプル管と、
サンプルを上記サンプル管内にシールするためのシール栓であって、上記サンプル管の一部を満たすための略長尺形状の充填用部分と、この充填用部分に対して横方向に突き出たシール用部分とを含むシール栓と、
長さ方向の力を使用して上記シール用部分を上記サンプル管に固定するためのクランプとを含む核磁気共鳴サンプル管アセンブリー。
【請求項１０】
上記充填用部分が上記サンプル管内に挿入されたときに空気を上記サンプル管から逃がすために、上記充填用部分が、上記充填用部分と上記サンプル管との間に空気逃げすき間を維持するようなサイズを有する、請求項９に記載のサンプル管アセンブリー。
【請求項１１】
上記シール栓および上記クランプが単一のモノリシック片から一体的に形成される、請求項９に記載のサンプル管アセンブリー。
【請求項１２】
上記クランプが、当てられた気体の流れに応答して当該サンプル管アセンブリーを回転させるためのローターを含む、請求項９に記載のサンプル管アセンブリー。
【請求項１３】
核磁気共鳴サンプルをサンプル管内にシールする方法であって、
上記サンプル管により規定されるサンプル保持区画の中にサンプルを挿入することと、
シール栓の充填用部分を上記サンプル管に挿入すること、および長さ方向の力を使用して上記シール栓のシール用部分を上記サンプル管に固定することによって、サンプル保持体積部を閉じ込めることとを含む方法。
【請求項１４】
上記充填用部分が上記サンプル管内に挿入されたときに空気を上記サンプル管から逃がすために、上記充填用部分が、上記充填用部分と上記サンプル管との間に空気逃げすき間を維持するようなサイズを有する、請求項１３に記載の方法。
【請求項１５】
サンプルを上記サンプル保持区画にシールしながら、サンプルに対する核磁気共鳴測定を行うことをさらに含む、請求項１３に記載の方法。
【請求項１６】
上記核磁気共鳴測定を行いながら、上記サンプル管をその長さ方向に沿うサンプル管軸の周りに回転させることをさらに含む、請求項１５に記載の方法。
【請求項１７】
液体の核磁気共鳴サンプルに対する核磁気共鳴測定を行う方法であって、
サンプル管により規定されるサンプル保持体積部の中に液体サンプルを挿入することと、
シール栓の充填用部分を上記サンプル管に挿入すること、および長さ方向の力を使用して上記シール栓のシール用部分を上記サンプル管に固定することとによって、上記サンプル保持体積部をシールすることと、
当該サンプルと磁場との相互作用を測定するために、当該サンプルを上記サンプル管に保ちながら磁場を当該サンプルに加えることとを含む方法。
【請求項１８】
上記充填用部分が上記サンプル管内に挿入されたときに空気を上記サンプル管から逃がすために、上記充填用部分が、上記充填用部分と上記サンプル管との間に空気逃げすき間を維持するようなサイズを有する、請求項１７に記載の方法。
【請求項１９】
核磁気共鳴サンプルを保持するための核磁気共鳴サンプル管アセンブリーであって、
サンプルを保持するためのサンプル保持区画を規定するサンプル保持手段と、
サンプルをサンプル保持区画内にシールするための手段であって、上記サンプル保持区画の一部を満たすための充填手段と、上記サンプル保持区画をシールするためのシール手段とを含む手段と、
長さ方向の力を使用して上記シール手段を上記サンプル保持手段に固定するための手段とを含む核磁気共鳴サンプル管アセンブリー。
【請求項２０】
上記充填手段が上記サンプル管内に挿入されたときに空気を上記サンプル管から逃がすために、上記充填手段が、上記充填手段と上記サンプル管との間に空気逃げすき間を維持するようなサイズを有する、請求項１９に記載の核磁気共鳴サンプル管アセンブリー。
【請求項２１】
核磁気共鳴サンプル分析キットであって、
核磁気共鳴サンプルを保持するためのサンプル保持区画を規定するサンプル管と、
サンプルを上記サンプル管内にシールするためのシール栓であって、上記サンプル管の一部を満たすための略長尺形状の充填用部分であって、この充填用部分が上記サンプル管内に挿入されたときに空気を上記サンプル管から逃がすために、上記充填用部分と上記サンプル管との間に空気逃げすき間を維持するようなサイズを有する充填用部分と、上記充填用部分に対して横方向に突き出たシール用部分とを含むシール栓と、
長さ方向の力を使用して上記シール用部分を上記サンプル管に固定するためのクランプとを含むキット。
【請求項２２】
上記クランプが、当てられた気体の流れに応答して上記サンプル管を回転させるためのローターを含む、請求項２１に記載のキット。
【発明の詳細な説明】
【技術分野】
【０００１】
本発明は、一般には核磁気共鳴（ＮＭＲ）分光法に関し、さらに詳しくはＮＭＲ用サンプル管アセンブリーに関する。
【背景技術】
【０００２】
核磁気共鳴（ＮＭＲ）分光計は、典型的には、静磁場Ｂ0を生じさせるための超伝導磁石と、磁石の内孔に配置されたＮＭＲプローブとを含む。このＮＭＲプローブには、磁場Ｂ0に直交する時間変動磁場Ｂ1を、目的とするサンプルに加えるために、そして加えられた磁場に対するサンプルの応答を検出するために、１つ以上の専用高周波（ＲＦ）コイルが含まれる。目的とするサンプルは、通常、サンプル管またはフローセルに保持される。
【０００３】
ＮＭＲサンプル管を測定時に高速度で（例えば、数ｋＨｚの回転数で）回転させることにより、スペクトルの線幅をより狭くすることができる。サンプルを回転させることにより、ＮＭＲ測定には、サンプルに加えられる磁場の勾配および不均一性の方位的平均化が反映させられる。固体の多結晶性サンプルの場合、回転させることはまた、サンプルに存在する様々な結晶配向についての方位的平均化を可能にする。固体サンプルの場合、回転軸（長さ方向のサンプル軸）と静磁場の向きとの間の角度が、「マジック角度」、すなわち、約５４oであるとき、最適なスペクトルを達成することができる。マジック角度は、３ｃｏｓ2θ−１＝０の式に対する解である。液体サンプルまたは気体サンプルは、典型的には、静磁場の向きと一致する軸の周りに回転させられる。
【０００４】
一般に使用されている方法では、錐体円錐形(frusto-conical)の底部表面を有するローター（スピナー）タービンが、合致する錐体円錐形ステーター（固定されたハウジング）の上に配置される。サンプル管はローター内の中心穴に入れられ、ローターに固定される。空気がサンプル管表面に沿って上向きに流されると、ローターは浮遊し、その長さ方向の軸の周りに回転させられる。先行技術の回転方法および／またはサンプル管アセンブリー設計に関するさらなる情報については、例えば、下記特許文献１、下記特許文献２、下記特許文献３、下記特許文献４および下記特許文献５を参照のこと。
【特許文献１】米国特許第４，７３９，７２０号明細書
【特許文献２】米国特許第４，２７５，３５０号明細書
【特許文献３】米国特許第４，０８８，９４４号明細書
【特許文献４】米国特許第３，６８１，６８３号明細書
【特許文献５】米国特許第２，９６０，６４９号明細書
【特許文献６】米国特許第４，７３９，２７０号明細書
【発明の開示】
【発明が解決しようとする課題】
【０００５】
本発明は、核磁気共鳴サンプルを保持するための核磁気共鳴サンプル管アセンブリーを提供する。
【課題を解決するための手段】
【０００６】
この核磁気共鳴サンプル管アセンブリーは、サンプルを保持するためのサンプル保持区画（チャンバ）を規定するサンプル管；サンプルを上記サンプル保持区画内にシールするためのシール栓であって、上記サンプル管の一部を満たすための略長尺形状の充填用部分と、上記充填用部分に対して横方向に突き出たシール用部分とを含むシール栓；および長さ方向の力を使用して上記シール用部分を上記サンプル管に固定するためのクランプを含む。
【０００７】
好ましい実施形態において、クランプは、サンプル管アセンブリーを回転させるためのローターである。好ましくは、サンプル管は、サンプル管の入口領域に沿ってサンプル管の外部から突き出るシール用フランジを有する。充填用部分は、充填用部分がサンプル管内に挿入されたときに空気をサンプル管から逃がすために、充填用部分とサンプル管との間に空気逃げすき間を維持するようなサイズを有する。シール用部分は、サンプル保持区画をシールするためにシール用フランジと接触する。ローターは、シール用部分をシール用フランジに固定するために、シール用部分とは反対側のシール用フランジの側面に隣接し、シール用部分に固定される。ローターは、サンプル管に沿った気体の流れに応答してサンプル管アセンブリーを回転させるための複数のローターブレードを有することができる。
【０００８】
本発明の前記の局面および利点は、下記の詳細な説明を読解したとき、および図面を参照したとき、より十分に理解される。
【発明を実施するための最良の形態】
【０００９】
下記の説明において、示された要素または構造体はそれぞれが、モノリシック構造体によって形成され得るか、またはモノリシック構造体の一部であり得るか、または複数の別個の構造体から形成され得ることが理解される。１組の要素には、１つ以上の要素が含まれる。要素に対する何らかの参照は、１つ以上の要素を包含することが理解される。コイルが、サンプルに対する核磁気共鳴測定を行うために使用されるという記載は、そのコイルが発信器、受信器またはそれらの両方として使用されることを意味することが理解される。
【００１０】
下記の記載により、本発明の様々な実施形態が、必ずしも限定としてでなく、例として例示される。
ＮＭＲプローブ、サンプル管アセンブリーおよび関連する構成成分の設計は、厳しい空間的制約を受ける。ＮＭＲ測定の感度は、一般的には、コイル占有率、すなわち、サンプルによって占められるコイル体積の割合とともに向上する。その結果、ＮＭＲサンプル管は、少なくともＮＭＲ分析窓に沿って、非常に薄い（１０分の数ミリメートルの厚さの）サンプル管壁を有することが多い。ＮＭＲサンプル管は、通常、十分にシールされる。これは、サンプル管を、大きな回転数で、特に非垂直軸の周りに回転させることにより、そうでない場合には、サンプルの漏出が生じ得るからである。
【００１１】
ＮＭＲサンプル管アセンブリーは、典型的には、サンプル管、およびサンプル保持体積をシールするためにサンプル管に挿入される栓を含む。従来、栓とサンプル管との間のシールは、例えば、上記特許文献６の図１−Ａおよび図１−Ｂに示されるように、サンプル管の内側表面と一連の栓リングの外側表面との間で確立されている。栓がサンプル管の内側を半径方向の力で押さえつけ、従って、栓とサンプル管の内壁との間には空気のすき間がない。
【００１２】
そのような半径方向のシール方法では、シール領域に沿ったサンプル管の厚さが制限され得る。比較的厚いサンプル管壁が、栓により確立される半径方向のシール力に耐えるための十分な機械的安定性を提供するために要求され得る。肉厚のサンプル管を要求することにより、サンプル管の入口開口部（口）のサイズ、従って、サンプル管の中に入れることができる固形物のサイズが制限され得る。一般的な設計において、サンプル管壁は、ＮＭＲサンプル分析窓に沿っては比較的薄いが、サンプル管口に沿っては比較的厚い。ＮＭＲ窓に沿った薄いサンプル管壁を使用することにより、改善されたコイル占有率を達成することが可能になり、一方、サンプル管口に沿った厚いサンプル管壁は、栓により及ぼされる半径方向のシール力に耐えるための十分な機械的安定性を提供する。そのような設計では、サンプル区画は、ＮＭＲサンプル管口を介して入れることができるよりも大きなものを保持することができる。
【００１３】
そのようなサンプル管アセンブリーを使用して得られる液体ＮＭＲデータは、サンプル中の気泡の存在によって悪影響を受け得ることもまた観測されていた。栓がサンプル管に挿入されるにつれ、サンプル管内に存在する空気および液体サンプルは圧縮され、気泡がサンプル内に形成される。さらに、栓挿入ステップは、サンプル管内に存在するサンプル量の変動性を生じさせ得る。
【００１４】
下記に記載される好ましい軸方向シール力の設計では、ＮＭＲサンプルにおける気泡の量を減少させることを可能にし、そしてまた、比較的広いサンプル管口の使用を可能にする。このサンプル管は、この分野での使用者によって容易にシールすることができる。１つの実施形態において、サンプル管をシールすることによりまた、サンプルを回転させるために使用されるローターに対するサンプル管の取り付けがもたらされる。好ましい設計により、改善された安定性および振動特性が高回転速度においてもたらされることもまた観測された。
【００１５】
図１−Ａは、本発明の好ましい実施形態に係る核磁気共鳴（ＮＭＲ）分光計１２を例示する概略図である。分光計１２は、磁石１６と、磁石１６の円筒状内孔に入れられたＮＭＲプローブ２０と、磁石１６およびプローブ２０に電気的に接続された制御／データ取得用システム１８とを含む。サンプル管アセンブリー２２は、測定がサンプル対して行われている間中、目的とする１つのＮＭＲサンプルを保持するために、プローブ２０内に配置される。プローブ２０は、１つ以上の高周波（ＲＦ）コイル２４を有するコイルアセンブリーを含む。
【００１６】
磁石１６により、静磁場Ｂ0が、サンプル管アセンブリー２２内に保持されたサンプルに加えられる。制御／データ取得用システム１８は、所望の高周波パルスをプローブ２０に加え、プローブ２０内のサンプルの核磁気共鳴特性を示すデータを取得するためのエレクトロニクス構成成分を含む。コイル２４は、高周波磁場Ｂ1をサンプルに加えるために、および／または加えられた磁場に対するサンプルの応答を測定するために使用される。ＲＦ磁場は静磁場に対して直交する。同じコイルを、ＲＦ磁場を加えるために、そして加えられた磁場に対するサンプル応答を測定するために、それらの両方のために使用することができる。あるいは、１つのコイルを、ＲＦ磁場を加えるために使用し、別のコイルを、加えられた磁場に対するサンプルの応答を測定するために使用することができる。
【００１７】
プローブ２０は、好ましくは、サンプル管アセンブリー２２に空気の流れを供給するためのスピンガス導管を含む。衝突する空気の流れにより、ＮＭＲ測定が行われている間、サンプル管アセンブリー２２はその長さ方向の軸の周りに回転する。サンプルの長さ方向の軸は静磁場の向きと一致していてもよく、または静磁場の向きに関して非ゼロ角度（例えば、マジック角度）を形成していてもよい。スピン回転数は、数ｋＨｚ程度、例えば、約３ｋＨｚ（３０００回転／秒）であり得る。
【００１８】
図１−Ｂには、ＮＭＲ測定時のサンプル管アセンブリー２２およびサンプル管アセンブリー２２を支えるプローブハウジング（ステーター）の一部の長さ方向の断面図が示されている。図１−Ｃには、サンプル管アセンブリー２２のローター（駆動リング）３２の底面図が示されている。図１−Ｂに例示されるように、サンプル管アセンブリー２２は、サンプルを保持するためのサンプル保持区画３０を規定するサンプル管２６を含む。サンプル管２６は、図１−Ｃに示されるローター３２の内孔３４内に固定される。現在のところ好ましい実施形態において、サンプル管２６は、下記に詳しく記載されるように、サンプル管の栓によって間接的にローター３２に固定される。サンプル管２６はまた、例えば、圧入によって直接的にローター３２に固定することができる。
【００１９】
ローター３２は、好ましくは、内孔３４の周りに配置された多数のタービンブレード３６を含む。タービンブレード３６は、長さ方向の空気の流れ３８にさらされたときにサンプル管アセンブリー２２のローター３２および残部を回転させるために役立つ。ローター３２は錐体円錐形の底部表面４４を有し、これは、マッチする錐体円錐形の固定されたステーター（ハウジング）表面４６と向き合っている。ローター３２の回転が、図１−Ｂに示される矢印４８によって概略的に示されている。
【００２０】
図２−Ａおよび図２−Ｂには、サンプル管アセンブリー２２の等角図および長さ方向の断面図がそれぞれ示される。図２−Ａおよび図２−Ｂに示される好ましい実施において、ローター３２は、下記に記載されるような固定構造体として作用する。サンプルシール栓５０は、体積充填用部分（円筒状の部材）５４と、半径方向に突き出る固定／シール用部分６８とを含む。円筒状の部材５４は、サンプル管２６の内径よりもわずかに小さい外径を有しており、その結果、空気逃げすき間７２により、円筒状の部材５４と、サンプル管２６の内側の円筒状表面とが隔てられている。サンプル管２６は、サンプル管２６の円筒状の本体からその入口開口部に沿って外側に突き出る環状のシール用フランジまたは縁５８を含む。好ましくは、サンプル管２６の入口開口部の直径は、サンプル保持区画３０に沿ったサンプル管２６の直径と同一であるか、またはそれよりも大きい。
【００２１】
固定部分６８は、ローター３２によってフランジ５８に下向きに固定される。ローター３２はフランジ５８の下に広がり、合致するらせん状の線条６４によって栓５０に固定されている。栓５０の上部表面に沿って位置するかぎ形開口部５２により、栓５０およびローター３２を一緒に締めることができ、従って、サンプル管２６、栓５０およびローター３２を、しっかり固定された回転可能なアセンブリーに固定することができる。かぎ形開口部５２は、例えば、溝孔または六角形の開口部にすることができる。環状のシール用Ｏ−リング溝６２が、押し付けられたＯ−リング６０を固定部分６８とフランジ５８との間に収容するために、固定部分６８の下部表面に沿って規定されている。
【００２２】
サンプル管アセンブリー２２の様々な構成部分は、好ましくは、この分野で知られているＮＭＲ適合性材料から作製される。サンプル管２６は、好ましくは、ホウケイ酸ガラス（パイレックス（登録商標））、強化ジルコニアなどのセラミック、または石英から作製される。栓５０は、好ましくは、柔らかい柔軟なエラストマーまたはプラスチックから作製され、例えば、ポリクロロトリフルオロエチレン（ＰＣＴＦＥまたはＫｅｌ−ｆ（登録商標））などから作製される。ローター３２は、好ましくは、プラスチックまたはポリマーから作製され、例えば、ポリオキシメチレン（Ｄｅｌｒｉｎ（登録商標）アセタール樹脂）、ポリメチルメタクリラート（ＰＭＭＡ）、ＰＣＴＦＥ、またはポリアミド−イミド（ＰＡＩまたはＴｏｒｌｏｎ（登録商標））などから作製される。Ｏ−リング６０は、プラスチックまたはポリマーから、例えば、Ｖｉｔｏｎ（登録商標）フルオロエラストマーなどから作製することができる。
【００２３】
サンプル管２６は、好ましくは、数ｃｍ〜数十ｃｍの程度の長さを有し、例えば、約１０ｃｍまたは２０ｃｍの長さを有する。サンプル管２６の外径は数ｍｍの程度にすることができ、好ましくは３ｍｍ〜５ｍｍであり、例えば、約４ｍｍである。サンプル管２６の壁厚は、好ましくは、１０分の数ｍｍの程度であり、例えば、約０．５ｍｍ未満である。本発明の実施において、サンプル管２６は、外径が４ｍｍで、壁厚が０．４ｍｍで、内径が３．２ｍｍである。円筒状部材５４の外径は、好ましくは、サンプル管２６の内径よりも、１０分の数ｍｍ以下の程度でサイズが小さい。フランジ５８は、好ましくは、数ｍｍ程度、例えば、約１ｍｍ〜２ｍｍ、軸方向に延びており、そして、数ｍｍ程度、例えば、約１ｍｍ以下で半径方向に延びている。Ｏ−リング６０は、好ましくは、１ｍｍ程度の厚さを有する。サンプル区画３０は、好ましくは、数十マイクロリットル〜数百マイクロリットルの程度の体積を有し、例えば、約４０μｌの体積を有する。
【００２４】
好ましくは、サンプルに対してＮＭＲ測定を行うために、サンプル管２６は、サンプル保持区画３０の体積を超えるサンプル量でわずかに多く満たされる。サンプル管２６は、フランジ５８の底部がローター３２に接するまでローター３２の中心の開口部の中を滑らされる。Ｏ−リング６０が溝６２の中に置かれ、栓５０がサンプル管２６の中にゆっくり入れられ、これにより、空気および過剰なサンプルが空気逃げすき間７２を介してサンプル管２６から追い出される。その後、栓５０、ローター３２およびサンプル管２６により、しっかり固定されたサンプル管アセンブリーが形成されるまで、栓５０はローター３２内にねじ締めされる。その後、サンプル管アセンブリー２２はＮＭＲ分光計のＮＭＲプローブの中に入れられ、駆動空気が、サンプル管アセンブリー２２を回転させるためにローター３２を介して流され、そしてＮＭＲ測定がサンプルに対して行われる。
【００２５】
図３−Ａおよび図３−Ｂには、本発明の他の実施形態によるサンプル管アセンブリー１２２、２２２の長さ方向の断面図が示されている。サンプル管アセンブリー１２２は、柔軟なクランプ１８０がローター１３２とは別個の構造体として提供されているという点で図２−Ａおよび図２−Ｂのアセンブリーとは異なる。クランプ１８０は栓１５０の上部に置かれ、そしてフランジ５８の周りの所定位置にスナップ式で閉じられる。ローター１３２は、例えば、しっかりした圧入によって、サンプル管２６の外側表面に別々に固定される。サンプル管アセンブリー２２２は、栓および固定構造体がモノリシック片２５０の一部として一体的にに形成されており、そしてＯ−リングが片２５０とサンプル管２６との間で使用されないという点で図３−Ａの管アセンブリー１２２とは異なる。
【００２６】
本発明はさらに、上記に記載されるようなサンプル管アセンブリーを組み立てることを最終使用者に可能にするキットを提供する。そのようなキットは、ＮＭＲローターおよびマッチするサンプル栓、Ｏ−リング、ならびにサンプル管を軸方向にシールするための好適なフランジまたは他の固定突出部を有するＮＭＲサンプル管を含んでいてもよい。そのようなキットはまた、ＮＭＲローターとは別個に提供されるクランプ、サンプル栓、Ｏ−リング、およびＮＭＲサンプル管を含むことができる。
【００２７】
上記の実施形態は、本発明の範囲から逸脱することなく、多くの方法で変化させ得ることは当業者には明かである。固定突出部は、連続した環状でない形状を有していてもよく、例えば、細長いすき間を付けた環状の突出部、またはいくつかのサンプル管方位位置においてだけサンプル管本体から離れるように広がる突出部などの形状を有していてもよい。固定フランジは、特にサンプル管の入口開口部がサンプル区画よりも狭い場合には、サンプル管の縁から一定の距離離して提供され得る。クランプは、サンプル管に規定される溝に、またはサンプル管に固定されるリング内もしくはリング下にスナップ式で閉じるために使用することができる。サンプル管の入口開口部（口）はサンプル区画よりも狭くてもよい。クランプは、ローターの一部として提供されてもよく、別個の構造体として提供されてもよい。ローターは、特に回転用空気が接線方向に提供される場合には、ブレードを有しなくもよい。従って、本発明は特許請求の範囲およびそれらの法上の均等物によって決定されるものとする。
【図面の簡単な説明】
【００２８】
【図１−Ａ】本発明の実施形態に係る例示的なＮＭＲ分光計の概略図である。
【図１−Ｂ】図１−Ａの分光計のサンプル管アセンブリーの概略図である。
【図１−Ｃ】図１−Ｂのサンプル管アセンブリーのローターの底面図である。
【図２−Ａ】本発明の好ましい実施形態に係る図１−Ｂのサンプル管アセンブリーの等角図である。
【図２−Ｂ】図２−Ａのサンプル管アセンブリーの長さ方向の断面図である。
【図３−Ａ】本発明に係る例示的なサンプル管アセンブリーの長さ方向の断面図である。
【図３−Ｂ】本発明に係る例示的なサンプル管アセンブリーの長さ方向の断面図である。
【図１−Ａ】
2004279416.tif 000003
【図１−Ｂ】
2004279416.tif 000004
【図１−Ｃ】
2004279416.tif 000005
【図２−Ａ】
2004279416.tif 000006
【図２−Ｂ】
2004279416.tif 000007
【図３−Ａ】
2004279416.tif 000008
【図３−Ｂ】
2004279416.tif 000009
【外国語明細書】
2004279416.tif 000010
2004279416.tif 000011
2004279416.tif 000012
2004279416.tif 000013
2004279416.tif 000014
2004279416.tif 000015
2004279416.tif 000016
2004279416.tif 000017
2004279416.tif 000018
2004279416.tif 000019
2004279416.tif 000020
2004279416.tif 000021
【図１−Ａ】
2004279416.tif 000022
【図１−Ｂ】
2004279416.tif 000023
【図１−Ｃ】
2004279416.tif 000024
【図２−Ａ】
2004279416.tif 000025
【図２−Ｂ】
2004279416.tif 000026
【図３−Ａ】
2004279416.tif 000027
【図３−Ｂ】
2004279416.tif 000028